(57)【要約】【課題】移動輪の着脱作業を目の弱った老人等でも楽に行うことができるようにすること。【解決手段】サイドカバー体の中心部に筒状の軸受体を設け、同軸受体を上記耕耘軸の端部に同軸的に取り付けると共に、サイドカバー体に係止孔を形成する一方、耕耘爪の回動軌跡よりも大径に形成した移動輪の中心部に移動輪支軸を設け、同移動輪支軸を上記軸受体に外側方から抜き差し自在に挿入可能とすると共に、移動輪に係止体を取り付けて、同係止体をサイドカバー体の係止孔に外側方から挿入・係止して、サイドカバー体に移動輪を着脱自在に取り付け可能とした。【選択図】        図１
2004248600.tif 000002
【特許請求の範囲】
【請求項１】
機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、
サイドカバー体の中心部に筒状の軸受体を設け、同軸受体を上記耕耘軸の端部に同軸的に取り付けると共に、サイドカバー体に係止孔を形成する一方、
耕耘爪の回動軌跡よりも大径に形成した移動輪の中心部に移動輪支軸を設け、同移動輪支軸を上記軸受体に外側方から抜き差し自在に挿入可能とすると共に、移動輪に係止体を取り付けて、同係止体をサイドカバー体の係止孔に外側方から挿入・係止して、サイドカバー体に移動輪を着脱自在に取り付け可能としたことを特徴とする管理機。
【請求項２】
係止体を、係止孔に係止した姿勢と、同係止孔から係止解除した姿勢とに姿勢変更させる姿勢変更操作体を設けたことを特徴とする請求項１記載の管理機。
【請求項３】
機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、
サイドカバー体の中心部に筒状の軸受体を設け、同軸受体を上記耕耘軸の端部に同軸的に取り付ける一方、
耕耘爪の回動軌跡よりも大径に形成した移動輪の中心部に筒状の移動輪支軸を設け、同移動輪支軸の先端部を上記軸受体内に外側方から抜き差し自在に挿入可能とすると共に、両軸にそれぞれ半径方向にて内外側に符合する内外側係合・連結孔を形成して、両内外側係合・連結孔中に係合・連結体を挿入・係合させて、サイドカバー体に移動輪を着脱自在に取り付け可能としたことを特徴とする管理機。
【請求項４】
係合・連結体を、内外側係合・連結孔中に挿入・係合させた姿勢と、同内外側係合・連結孔から係合解除させた姿勢とに姿勢変更させる姿勢変更操作体を設けたことを特徴とする請求項３記載の管理機。
【発明の詳細な説明】
【０００１】
【発明の属する技術分野】
本発明は、管理機に関する。
【０００２】
【従来の技術】
従来、管理機の一形態として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付け、機体フレームの前端部に移動輪を取り付けたものがある（例えば、特許文献１参照）。
【０００３】
そして、移動輪は、機体フレームの前端部に移動輪支持アームを介して連結ピンにより着脱自在に取り付けている。
【０００４】
【特許文献１】
実開平５−５５８０４号公報
【０００５】
【発明が解決しようとする課題】
ところが、上記した管理機では、移動輪を移動輪支持アームを介して連結ピンにより着脱自在に取り付けているが、連結ピンにより連結する作業が目の弱った老人等には煩雑であり、また、移動輪を取り外した状態では連結ピンが紛失しないように管理する必要性があるが、かかる連結ピンの管理も老人には煩雑である。
【０００６】
しかも、移動輪は、耕耘爪の回動軌跡よりも小径に形成されているために、移動時には、ハンドルを持ち上げて耕耘爪が地面と干渉しないようにして、同状態にて移動輪を転動させながら移動しなければならず、かかる移動作業はオペレータにとって、特に、老人にとっては、精神的にも肉体的にも楽ではない。
【０００７】
【課題を解決するための手段】
そこで、本発明では、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、サイドカバー体の中心部に筒状の軸受体を設け、同軸受体を上記耕耘軸の端部に同軸的に取り付けると共に、サイドカバー体に係止孔を形成する一方、耕耘爪の回動軌跡よりも大径に形成した移動輪の中心部に移動輪支軸を設け、同移動輪支軸を上記軸受体に外側方から抜き差し自在に挿入可能とすると共に、移動輪に係止体を取り付けて、同係止体をサイドカバー体の係止孔に外側方から挿入・係止して、サイドカバー体に移動輪を着脱自在に取り付け可能としたことを特徴とする管理機を提供するものである。
【０００８】
また、本発明は、以下の構成にも特徴を有する。
【０００９】
（１）係止体を、係止孔に係止した姿勢と、同係止孔から係止解除した姿勢とに姿勢変更させる姿勢変更操作体を設けたこと。
【００１０】
（２）サイドカバー体の中心部に筒状の軸受体を設け、同軸受体を上記耕耘軸の端部に同軸的に取り付ける一方、耕耘爪の回動軌跡よりも大径に形成した移動輪の中心部に筒状の移動輪支軸を設け、同移動輪支軸の先端部を上記軸受体内に外側方から抜き差し自在に挿入可能とすると共に、両軸にそれぞれ半径方向にて内外側に符合する内外側係合・連結孔を形成して、両内外側係合・連結孔中に係合・連結体を挿入・係合させて、サイドカバー体に移動輪を着脱自在に取り付け可能としたこと。
【００１１】
（３）係合・連結体を、内外側係合・連結孔中に挿入・係合させた姿勢と、同内外側係合・連結孔から係合解除させた姿勢とに姿勢変更させる姿勢変更操作体を設けたこと。
【００１２】
【発明の実施の形態】
以下に、本発明の実施の形態について説明する。
【００１３】
すなわち、本発明に係る管理機は、基本的構造として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けている。
【００１４】
そして、特徴的構造として、サイドカバー体の中心部に筒状の軸受体を設け、同軸受体を上記耕耘軸の端部に同軸的に取り付けると共に、サイドカバー体に係止孔を形成する一方、耕耘爪の回動軌跡よりも大径に形成した移動輪の中心部に移動輪支軸を設け、同移動輪支軸を上記軸受体に外側方から抜き差し自在に挿入可能とすると共に、移動輪に係止体を取り付けて、同係止体をサイドカバー体の係止孔に外側方から挿入・係止して、サイドカバー体に移動輪を着脱自在に取り付け可能としている。
【００１５】
しかも、係止体を、係止孔に係止した姿勢と、同係止孔から係止解除した姿勢とに姿勢変更させる姿勢変更操作体を設けている。
【００１６】
また、特徴的構造として、サイドカバー体の中心部に筒状の軸受体を設け、同軸受体を上記耕耘軸の端部に同軸的に取り付ける一方、耕耘爪の回動軌跡よりも大径に形成した移動輪の中心部に筒状の移動輪支軸を設け、同移動輪支軸の先端部を上記軸受体内に外側方から抜き差し自在に挿入可能とすると共に、両軸にそれぞれ半径方向にて内外側に符合する内外側係合・連結孔を形成して、両内外側係合・連結孔中に係合・連結体を挿入・係合させて、サイドカバー体に移動輪を着脱自在に取り付け可能としている。
【００１７】
しかも、係合・連結体を、内外側係合・連結孔中に挿入・係合させた姿勢と、同内外側係合・連結孔から係合解除させた姿勢とに姿勢変更させる姿勢変更操作体を設けている。
【００１８】
【実施例】
以下に、本発明の実施例を、図面を参照しながら説明する。
【００１９】
図１及び図２に示すＡは、本発明に係る管理機であり、同管理機Ａは、機体フレーム１上にエンジンＥを搭載し、同エンジンＥに伝動ケース２を介して上下方向に伸延するミッションケース３を連動連結し、同ミッションケース３の上部にハンドル４の基端部を取り付ける一方、ミッションケース３の下部に左右方向に伸延する耕耘軸５を貫通状態に連動連結し、同耕耘軸５の外周面に耕耘爪としての内盛爪６と外盛爪７とを取り付けると共に、同耕耘軸５の左右外側端部にそれぞれパラボラアンテナ状に形成したサイドカバー体８，８を取り付けている。９は燃料タンク、１０はロータリカバー、１１は抵抗棒である。
【００２０】
そして、上記したサイドカバー体８，８には、図１及び図２に示すように、内・外盛爪６，７の回動軌跡よりも大径に形成した移動輪１２，１２を、着脱手段１３を介して着脱自在に取り付けている。
【００２１】
以下に、図３〜図５を参照しながら第１実施例としての着脱手段１３を説明し、その後に、図６〜図１２を参照しながら第２実施例〜第４実施例としての着脱手段１３について説明する。
【００２２】
〔第１実施例としての着脱手段〕
第１実施例としての着脱手段１３は、図３及び図４にも示すように、パラボラアンテナ状に形成したサイドカバー体８の中心部に筒状の軸受体２０を直交状態に設け、同軸受体２０を上記耕耘軸５の端部に同軸的に取り付けると共に、サイドカバー体８に複数（本実施例では二個）の係止孔２１，２１を軸受体２０を中心とする点対称の位置に形成する一方、移動輪１２の中心部に支軸取付体２２を介して移動輪支軸２３を取り付け、同移動輪支軸２３を上記軸受体２０に外側方から抜き差し自在に挿入可能とすると共に、移動輪１２に姿勢変更操作体２４を介して係止体２５を取り付けて、同係止体２５をサイドカバー体８の係止孔２１，２１に外側方から挿入・係止するように構成している。
【００２３】
支軸取付体２２は、図４及び図５に示すように、左右方向に軸線を向けた筒状取付片２２ａと、同筒状取付片２２ａの内外側端部にそれぞれ取り付けた内外側円板状取付片２２ｂ，２２ｃとから形成している。
【００２４】
そして、内側円板状取付片２２ｂは、中心部に移動輪支軸２３の中途部２３ｂを挿通・支持するための支軸挿通孔２６を形成すると共に、外周部に後述する上下部の係止片２５ａ，２５ａを拡縮案内するための上下一対の内側切り欠き溝２７，２７を、支軸挿通孔２６を中心とする点対称の位置に形成している。
【００２５】
また、外側円板状取付片２２ｃは、中心部に移動輪支軸２３の基端部２３ａを挿通・支持するための基端部挿通孔２８を形成すると共に、外周部に後述する上下部摺動片２４ａ，２４ａを摺動案内するための上下一対の外側切り欠き溝２９，２９を、支軸挿通孔２６を中心とする点対称の位置に形成している。
【００２６】
ここで、内側切り欠き溝２７の底部２７ａは、移動輪支軸２３の周面から一定幅だけ離隔した位置に形成する一方、外側切り欠き溝２９の底部２９ａは、移動輪支軸２３の周面と面一となるように形成している。
【００２７】
移動輪支軸２３は、基端部２３ａを段付き小径に形成すると共に、同基端部２３ａの外径を前記外側円板状取付片２２ｃの基端部挿通孔２８中に挿通して固定する一方、中途部２３ｂを前記内側円板状取付片２２ｂの支軸挿通孔２６中に挿通・支持させ、先端部２３ｃを段付き小径に形成すると共に、同先端部２３ｃの外径を筒状の軸受体２０の内径と略同一径に形成している。
【００２８】
このようにして、移動輪１２の中心部に支軸取付体２２を介して取り付けた移動輪支軸２３の先端部２３ｃを、軸受体２０中に外側方から挿入することにより、同軸受体２０の端面に先端部２３ｃの段部端面２３ｄを当接させて、同移動輪支軸２３の内側方への移動を規制することができるようにしている。
【００２９】
姿勢変更操作体２４は、図４及び図５に示すように、外側切り欠き溝２９の底部２９ａ，２９ａと移動輪支軸２３の周面に沿って軸線方向に摺動する上下部摺動片２４ａ，２４ａと、両上下部摺動片２４ａ，２４ａの外側端部同士を連結する連結片２４ｂとから側面視コ字状に形成している。
【００３０】
係止体２５は、前記姿勢変更操作体２４の上下部摺動片２４ａ，２４ａの内側端部より延設して一体成形した上下一対の係止片２５ａ，２５ａを具備しており、各係止片２５ａ，２５ａは、先端係止本片２５ｂ，２５ｂを内側切り欠き溝２７，２７を通して外方向へ突出させている。
【００３１】
しかも、係止体２５と姿勢変更操作体２４は、弾性素材により一体成形して、各係止片２５ａ，２５ａを先端係止本片２５ｂ，２５ｂが移動輪支軸２３側に近接する方向に弾性付勢している。
【００３２】
このようにして、各係止片２５ａ，２５ａは、その弾性付勢力により常時内側切り欠き溝２７，２７の底部２７ａ，２７ａに圧接（押圧状態に当接）した状態となして、姿勢変更操作体２４を内方向（内側円板状取付片２２ｂ側）に摺動操作すると、図４の一点鎖線で示すように、両係止片２５ａ，２５ａが拡径する一方、姿勢変更操作体２４を外方向（外側円板状取付片２２ｃ側）に摺動操作すると、図４の実線で示すように、両係止片２５ａ，２５ａが縮径するようにしている。
【００３３】
そして、姿勢変更操作体２４を内方向に摺動操作して、同姿勢変更操作体２４の連結片２４ｂを移動輪支軸２３の基端部２３ａの端面に当接させて状態にて、拡径した各係止片２５ａ，２５ａの先端係止本片２５ｂ，２５ｂが、サイドカバー体８に形成した係止孔２１，２１と符合するようにしている。
【００３４】
従って、かかる状態にて移動輪支軸２３の先端部２３ｃを、軸受体２０中に外側方から挿入して、同軸受体２０の端面に先端部２３ｃの段部端面２３ｄを当接させると、サイドカバー体８の係止孔２１，２１中に各先端係止本片２５ｂ，２５ｂが挿入された状態となる。
【００３５】
そして、姿勢変更操作体２４を外方向へ摺動操作すると、各係止片２５ａ，２５ａが漸次縮径されて、先端係止本片２５ｂ，２５ｂがサイドカバー体８の係止孔２１，２１に係止された状態となる。
【００３６】
すなわち、姿勢変更操作体２４の内方向への摺動操作により先端係止本片２５ｂ，２５ｂを係止孔２１，２１に係止した姿勢（イ）となすことができると共に、同姿勢変更操作体２４の外方向への摺動操作により先端係止本片２５ｂ，２５ｂを係止孔２１，２１から係止解除した姿勢（ロ）となすことができる。
【００３７】
また、本実施例では、外側円板状取付片２２ｃに姿勢変更操作体２４をロックするためのロック体３０を設けており、同ロック体３０は、外側円板状取付片２２ｃに支持片３０ａを前後方向に軸線を向けたロック体支軸３１を介して枢支し、同支持片３０ａの先端部にロック本片３０ｂを取り付けて、同ロック本片３０ｂを移動輪支軸２３の基端部２３ａの端面と姿勢変更操作体２４の連結片２４ｂとの間に介在させたロック位置と、同ロック本片３０ｂを移動輪支軸２３の基端部２３ａの端面と姿勢変更操作体２４の連結片２４ｂとの間から離脱させたロック解除位置との間で進退・回動自在としている。
【００３８】
そして、ロック本片３０ｂの左右幅は、先端係止本片２５ｂ，２５ｂを係止孔２１，２１に係止した姿勢（イ）での連結片２４ｂと、移動輪支軸２３の基端部２３ａの端面との間に形成される空間３３の間隔と略同一となして、同ロック本片３０ｂを空間３３内に介在させることにより、姿勢変更操作体２４をロック状態となすことができるようにしている。
【００３９】
従って、サイドカバー体８に移動輪１２を取り付けた状態を保持することができる。
【００４０】
〔第２実施例としての着脱手段〕
第２実施例としての着脱手段１３は、前記した第１実施例としての着脱手段１３と基本的構造を同じくしているが、姿勢変更操作体２４と係止体２５の構成において大きく異なる。
【００４１】
すなわち、姿勢変更操作体２４は、図６及び図７に示すように、内外側円板状取付片２２ｂ，２２ｃにそれぞれ形成した下部の内外側切り欠き溝２７，２９中に、左右方向に伸延する左右方向伸延片２４ｃを貫通させ、同左右方向伸延片２４ｃの内側端部より下方へ向けて伸延させて下方向伸延片２４ｄを形成する一方、同左右方向伸延片２４ｃの外側端部より上方へ向けて伸延させて上方向伸延片２４ｅを形成すると共に、上部の外側切り欠き溝２９に向けて伸延させて内方向伸延片２４ｆを形成している。
【００４２】
このようにして、下部の内外側切り欠き溝２７，２９の各底部２７ａ，２９ａ上にて左右方向伸延片２４ｃを左右方向に摺動自在となし、下方向伸延片２４ｄを外方向への抜け止め片として機能させる一方、上方向伸延片２４ｅを内方向摺動規制片として機能させ、内方向伸延片２４ｆを後述する係止片２５ａへの拡縮作用片として機能させるようにしている。
【００４３】
ここで、本実施例に係る外側切り欠き溝２９の底部２９ａは、移動輪支軸２３の周面から一定幅だけ離隔した位置に形成しており、同底部２９ａ上にて内方向伸延片２４ｆが左右方向に摺動するようにしている。
【００４４】
係止体２５は、弾性素材により左右方向に伸延させて形成した係止片２５ａの基端部を、ビス３２により移動輪支軸２３の基部外周面に取り付けると共に、先端係止本片２５ｂを上部の内側切り欠き溝２７より外部に突出させている。
【００４５】
しかも、係止片２５ａは、先端係止本片２５ｂが移動輪支軸２３の外周面から離隔する方向に弾性付勢している。
【００４６】
このようにして、係止片２５ａは、図６に一点鎖線で示すように、その弾性付勢力により筒状取付片２２ａの内側縁部に圧接（押圧状態に当接）した状態となして、姿勢変更操作体２４を内方向（内側円板状取付片２２ｂ側）に摺動操作すると、図６に実線で示すように、係止片２５ａが縮径する一方、姿勢変更操作体２４を外方向（外側円板状取付片２２ｃ側）に摺動操作すると、係止片２５ａが拡径するようにしている。
【００４７】
そして、姿勢変更操作体２４を内方向に摺動操作して、同姿勢変更操作体２４の上方向伸延片２４ｅを移動輪支軸２３の基端部２３ａの端面に当接させて状態にて、図７に一点鎖線で示すように、縮径した係止片２５ａの先端係止本片２５ｂが、サイドカバー体８に形成した上部の係止孔２１に符号するようにしている。
【００４８】
従って、かかる状態にて移動輪支軸２３の先端部２３ｃを、軸受体２０中に外側方から挿入して、同軸受体２０の端面に先端部２３ｃの段部端面２３ｄを当接させると、図７に一点鎖線で示すように、サイドカバー体８の係止孔２１，２１中に各先端係止本片２５ｂ，２５ｂが挿入された状態となる。
【００４９】
そして、姿勢変更操作体２４を外方向へ摺動操作すると、図７に実線で示すように、係止片２５ａがそれ自身の弾性付勢力により拡径して、先端係止本片２５ｂがサイドカバー体８の係止孔２１に係止された状態となる。
【００５０】
すなわち、姿勢変更操作体２４の外方向への摺動操作により先端係止本片２５ｂを係止孔２１に係止した姿勢（イ）となすことができると共に、同姿勢変更操作体２４の内方向への摺動操作により先端係止本片２５ｂを係止孔２１から係止解除した姿勢（ロ）となすことができる。
【００５１】
〔第３実施例としての着脱手段〕
第３実施例としての着脱手段１３は、図８〜図１０に示すように、パラボラアンテナ状に形成したサイドカバー体８の中心部に筒状の軸受体２０を直交状態に設け、同軸受体２０を上記耕耘軸５の端部に同軸的に取り付ける一方、移動輪１２の中心部に支軸取付体２２を介して移動輪支軸２３を取り付け、同移動輪支軸２３の先端部を上記軸受体２０内に外側方から抜き差し自在に挿入可能とすると共に、両軸２３，２０にそれぞれ半径方向にて内外側に符合する内外側係合・連結孔４０，４１を形成して、両内外側係合・連結孔４０，４１中に姿勢変更操作体２４を介して係合・連結体４２を挿入・係合させるように構成している。
【００５２】
支軸取付体２２は、図８〜図１０に示すように、左右方向に軸線を向けた筒状取付片２２ａと、同筒状取付片２２ａの内外側端部にそれぞれ取り付けた内外側円板状取付片２２ｂ，２２ｃとから形成している。
【００５３】
そして、内側円板状取付片２２ｂは、中心部に移動輪支軸２３の中途部２３ｂを挿通・支持するための支軸挿通孔２６を形成している。
【００５４】
また、外側円板状取付片２２ｃは、中心部に移動輪支軸２３の基端部２３ａを挿通・支持するための基端部挿通孔２８を形成している。
【００５５】
移動輪支軸２３は、左右方向に伸延する筒状に形成しており、基端部２３ａを段付き小径に形成すると共に、同基端部２３ａの外径を前記外側円板状取付片２２ｃの基端部挿通孔２８中に挿通して固定する一方、中途部２３ｂを前記内側円板状取付片２２ｂの支軸挿通孔２６中に挿通・支持させ、先端部２３ｃを段付き小径に形成すると共に、同先端部２３ｃの外径を筒状の軸受体２０の内径と略同一径に形成している。
【００５６】
そして、先端部２３ｃの中途上部に前記した内側係合・連結孔４０を形成している。
【００５７】
このようにして、移動輪１２の中心部に支軸取付体２２を介して取り付けた移動輪支軸２３の先端部２３ｃを、軸受体２０中に外側方から挿入することにより、同軸受体２０の端面に先端部２３ｃの段部端面２３ｄを当接させて、同移動輪支軸２３の内側方への移動を規制することができるようにしており、同状態にて先端部２３ｃに形成した内側係合・連結孔４０と、軸受体２０の中途部に形成した外側係合・連結孔４１とを符合させることができるようにしている。
【００５８】
姿勢変更操作体２４は、左右方向に伸延する棒状に形成して、移動輪支軸２３中に回動自在に挿通すると共に、基端部２４ｇを移動輪支軸２３の基端部よりも外側方へ突出させて回動操作用の抓み部となす一方、先端部２４ｈを移動輪支軸２３の先端部と面一となしている。
【００５９】
しかも、姿勢変更操作体２４の先端部で、かつ、前記した内外側係合・連結孔４０，４１に符合する外周面の位置に、偏芯したカム状溝４３を周面に沿わせて形成し、同カム状溝４３中に係合・連結体４２を配置している。
【００６０】
このようにして、姿勢変更操作体２４をその軸線廻りに回動させることにより、係合・連結体４２の上部を、図９に示すように、内外側係合・連結孔４０，４１中に挿入・係合させた姿勢（ハ）となすことができると共に、姿勢変更操作体２４をその軸線廻りに上記とは反対方向に回動させることにより、係合・連結体４２の上部を、図８に示すように、同内外側係合・連結孔４０，４１から係合解除させた姿勢（ニ）とに姿勢変更させることができるようにしている。
【００６１】
また、本実施例では、外側円板状取付片２２ｃに、姿勢変更操作体２４の回動をロックするためのロック用係止ピン４５を突設する一方、姿勢変更操作体２４の基端部にロック用係止片４６を設けてロック体３０を構成しており、同ロック用係止片４６をロック用係止ピン４５に係止させることにより、姿勢変更操作体２４の回動を規制することができるようにしている。
【００６２】
このようにして、係合・連結体４２を、図９に示すように、内外側係合・連結孔４０，４１中に挿入・係合させた姿勢（ハ）にて、ロック用係止片４６をロック用係止ピン４５に係止させることにより、姿勢変更操作体２４をロック状態となすことができるようにしている。
【００６３】
従って、サイドカバー体８に移動輪１２を取り付けた状態を保持することができる。
【００６４】
〔第４実施例としての着脱手段〕
第４実施例としての着脱手段１３は、前記した第３実施例としての着脱手段１３と基本的構造を同じくしているが、姿勢変更操作体２４の構成において異なる。
【００６５】
すなわち、姿勢変更操作体２４は、図１１及び図１２に示すように、左右方向に伸延する棒状に形成して、移動輪支軸２３中に進退摺動自在に挿通すると共に、基端部２４ｇを移動輪支軸２３の基端部よりも外側方へ突出させて摺動操作用の抓み部となす一方、先端部２４ｈを移動輪支軸２３の先端部と面一となしている。
【００６６】
しかも、姿勢変更操作体２４の先端部で、かつ、前記した内外側係合・連結孔４０，４１に符合する外周面の位置に、カム状凹部４７を形成し、同カム状凹部４７内に係合・連結体４２を配置しており、同カム状凹部４７には、係合・連結体４２の上部を内外側係合・連結孔４０，４１中に挿入・係合させた姿勢（ロ）となす挿入・係合姿勢用凹部面４７ａと、係合・連結体４２を内外側係合・連結孔４０，４１から係合解除させた姿勢（ニ）となす係合解除姿勢用凹部面４７ｂと、両凹部面４７ａ，４７ｂを接続する接続傾斜面４７ｃとを形成している。
【００６７】
また、移動輪支軸２３の内周面と姿勢変更操作体２４の外周面との間にスプリング収容空間４８を形成して、同スプリング収容空間４８内に押圧スプリング４９を収容して、同押圧スプリング４９の弾性付勢力により姿勢変更操作体２４を外側方へ押圧している。
【００６８】
図１１及び図１２中、５０は、移動輪支軸２３と姿勢変更操作体２４の基端部に横断貫通させた抜け止めピンであり、同抜け止めピン５０は、姿勢変更操作体２４の基端部に左右方向に伸延させて形成した長孔５１を介して貫通させて、同長孔５１の範囲内で姿勢変更操作体２４を進退摺動させることができると共に、同姿勢変更操作体２４が外側方への抜け落ちるのを防止することができるようにしている。
【００６９】
このようにして、移動輪支軸２３の基端部を把持して、同移動輪支軸２３を押圧スプリング４９の弾性付勢力に抗してその軸線方向に進出させるべく内側方へ摺動させることにより、係合・連結体４２を、図１１に示すように、カム状凹部４７の係合解除姿勢用凹部面４７ｂを介して内外側係合・連結孔４０，４１から係合解除させた姿勢（ニ）となすことができ、かかる状態にて、移動輪１２の中心部に支軸取付体２２を介して取り付けた移動輪支軸２３の先端部２３ｃを、軸受体２０中に外側方から挿入して、同軸受体２０の端面に先端部２３ｃの段部端面２３ｄを当接させることにより、同移動輪支軸２３の内側方への移動を規制することができる。
【００７０】
そして、かかる状態にて先端部２３ｃに形成した内側係合・連結孔４０と、軸受体２０の中途部に形成した外側係合・連結孔４１とが符合しており、同状態にて移動輪支軸２３の基端部を把持している手を離すと、押圧スプリング４９の弾性付勢力により姿勢変更操作体２４がその軸線方向に後退摺動されて、係合・連結体４２の上部を、図１２に示すように、カム状凹部４７の挿入・係合姿勢用凹部面４７ａを介して内外側係合・連結孔４０，４１中に挿入・係合させた姿勢（ハ）となすことができる。
【００７１】
従って、サイドカバー体８に移動輪１２を取り付けた状態を保持することができる。
【００７２】
なお、上記のように第１実施例〜第４実施例に係る着脱手段１３について、装着する手順について説明してきたが、離脱させる手順は、当然のこと装着する手順の反対の手順をたどればよい。
【００７３】
【発明の効果】
（１）請求項１記載の本発明では、サイドカバー体の中心部に筒状の軸受体を設け、同軸受体を上記耕耘軸の端部に同軸的に取り付けると共に、サイドカバー体に係止孔を形成する一方、耕耘爪の回動軌跡よりも大径に形成した移動輪の中心部に移動輪支軸を設け、同移動輪支軸を上記軸受体に外側方から抜き差し自在に挿入可能とすると共に、移動輪に係止体を取り付けて、同係止体をサイドカバー体の係止孔に外側方から挿入・係止して、サイドカバー体に移動輪を着脱自在に取り付け可能としている。
【００７４】
このようにして、移動輪の中心部に設けた移動輪支軸を、サイドカバー体の中心部に設けた軸受体に外側方から挿入すると共に、移動輪に取り付けた係止体をサイドカバー体に形成した係止孔に外側方から挿入・係止するだけで、同移動輪をサイドカバー体に取り付けることができるため、かかる移動輪の取付作業を目の弱った老人等でも楽に行うことができる。
【００７５】
しかも、連結ピン等を使用しないために、かかる連結ピン等の管理を行う必要性がない。
【００７６】
さらには、移動輪は、耕耘爪の回動軌跡よりも大径に形成して、サイドカバー体の中心部に取り付けているため、耕耘軸に耕耘爪と同軸的に取り付けることができて、ハンドルを少し持ち上げるだけで、耕耘爪を地面に干渉させることなく移動輪を転動させながら楽に移動させることができる。
【００７７】
（２）請求項２記載の本発明では、係止体を、係止孔に係止した姿勢と、同係止孔から係止解除した姿勢とに姿勢変更させる姿勢変更操作体を設けている。
【００７８】
このようにして、姿勢変更操作体を操作することにより、係止体を、係止孔に係止した姿勢と、同係止孔から係止解除した姿勢とに楽に姿勢変更させることができるため、移動輪をサイドカバー体に取り付ける作業をより一層楽に行うことができる。
【００７９】
（３）請求項３記載の本発明では、サイドカバー体の中心部に筒状の軸受体を設け、同軸受体を上記耕耘軸の端部に同軸的に取り付ける一方、耕耘爪の回動軌跡よりも大径に形成した移動輪の中心部に筒状の移動輪支軸を設け、同移動輪支軸の先端部を上記軸受体内に外側方から抜き差し自在に挿入可能とすると共に、両軸にそれぞれ半径方向にて内外側に符合する内外側係合・連結孔を形成して、両内外側係合・連結孔中に係合・連結体を挿入・係合させて、サイドカバー体に移動輪を着脱自在に取り付け可能としている。
【００８０】
このようにして、移動輪の中心部に設けた移動輪支軸の先端部を、サイドカバー体の中心部に設けた軸受体内に外側方から挿入すると共に、両軸にそれぞれ形成した内外側係合・連結孔を半径方向にて内外側に符合させ、両内外側係合・連結孔中に係合・連結体を挿入・係合させるだけで、移動輪をサイドカバー体に取り付けることができるため、かかる移動輪の取付作業を目の弱った老人等でも楽に行うことができる。
【００８１】
しかも、連結ピン等を使用しないために、かかる連結ピン等の管理を行う必要性がない。
【００８２】
さらには、移動輪は、耕耘爪の回動軌跡よりも大径に形成して、サイドカバー体の中心部に取り付けているため、耕耘軸に耕耘爪と同軸的に取り付けることができて、ハンドルを少し持ち上げるだけで、耕耘爪を地面に干渉させることなく移動輪を転動させながら楽に移動させることができる。
【００８３】
（４）請求項４記載の本発明では、係合・連結体を、内外側係合・連結孔中に挿入・係合させた姿勢と、同内外側係合・連結孔から係合解除させた姿勢とに姿勢変更させる姿勢変更操作体を設けている。
【００８４】
このようにして、姿勢変更操作体を操作することにより、係合・連結体を、内外側係合・連結孔中に挿入・係合させた姿勢と、同内外側係合・連結孔から係合解除させた姿勢とに楽に姿勢変更させることができるため、移動輪をサイドカバー体に取り付ける作業をより一層楽に行うことができる。
【図面の簡単な説明】
【図１】本発明に係る管理機の側面図。
【図２】同管理機の正面図。
【図３】サイドカバー体の側面図。
【図４】第１実施例としての着脱手段の断面正面説明図。
【図５】同着脱手段の側面説明図。
【図６】第２実施例としての着脱手段の離脱状態での断面正面説明図。
【図７】同着脱手段の装着状態での断面正面説明図。
【図８】第３実施例としての着脱手段の離脱状態での断面正面説明図。
【図９】同着脱手段の装着状態での断面正面説明図。
【図１０】同着脱手段の側面図。
【図１１】第４実施例としての着脱手段の離脱状態での断面正面説明図。
【図１２】同着脱手段の装着状態での断面正面図。
【符号の説明】
Ａ  管理機
１  機体フレーム
２  伝動ケース
３  ミッションケース
４  ハンドル
５  耕耘軸
【図１】
2004248600.tif 000003
【図２】
2004248600.tif 000004
【図３】
2004248600.tif 000005
【図４】
2004248600.tif 000006
【図５】
2004248600.tif 000007
【図６】
2004248600.tif 000008
【図７】
2004248600.tif 000009
【図８】
2004248600.tif 000010
【図９】
2004248600.tif 000011
【図１０】
2004248600.tif 000012
【図１１】
2004248600.tif 000013
【図１２】
2004248600.tif 000014